(57)【要約】【課題】本発明の目的は、温水施設から排出される温排水の熱回収システムの円滑な運転と省力化を図ることができる温水施設の熱回収システムを提供することにある。【解決手段】温水施設の浴室１から排出される毛を含む温排水を温排水槽２５に貯留させ、温排水から熱回収器２７で回収した熱により補給水を加温する、加温した補給水をさらにボイラ３１で加熱し浴室１に給湯する。温排水槽２５に流入する温排水に含まれる毛を毛捕集装置２０で捕集して毛捕集装置２０に補給水を導水して逆洗する。【選択図】　図１
2004085067.tif 000002
【特許請求の範囲】
【請求項１】
ボイラで加熱された温水を温水施設に給湯する貯湯槽と、前記温水施設から排出される毛を含む温排水を貯留する温排水槽と、前記温排水槽に貯留された前記温排水から回収した熱により補給水を加温して前記貯湯槽に供給する畜熱水槽と、前記温排水槽に流入する前記温排水に含まれる毛を捕集する毛捕集装置と、前記毛捕集装置に前記補給水を導水して逆洗を行い毛を含む逆洗水を下水道に導く逆洗装置とを具備することを特徴とする温水施設の熱回収システム。
【発明の詳細な説明】
【０００１】
【発明の属する技術分野】
本発明は、スポーツクラブ、スーパー銭湯、健康ランド等の温水施設から排出される温排水から熱を回収する温水施設の熱回収システムに関する。
【０００２】
【従来の技術】
一般に、スポーツクラブ、スーパー銭湯、健康ランド等の温水施設においては循環水の濾過装置の流入側にヘアー類異物（毛）を捕集するヘアーキャッチャー（毛捕集装置）が設けられている。
従来、これらヘアーキャッチャーは、パンチプレート型スクリーン等でヘアー類異物を捕集し、一定量貯まるとスクリーン部を開放し手作業で毛を除去している。
【０００３】
【発明が解決しようとする課題】
従来技術は、スクリーン等のヘアーキャッチャーでヘアー類異物を捕集し一定量貯まるとスクリーン部を開放し手作業で毛を除去しているため、円滑に運用することが阻害されると共に省力化が図れないという問題点を有する。
温水施設から排出される温排水から直接熱を回収するシステムにおいては、排水中に含まれるヘアー類異物により熱回収器伝熱管が閉塞し円滑な運転が阻害される。このため、ヘアー類異物を捕集し自動的に除去して省力化を図ることが要求されている。
本発明の目的は、温水施設から排出される温排水の熱回収システムの円滑な運転と省力化を図ることができる温水施設の熱回収システムを提供することにある。
【０００４】
【課題を解決するための手段】
本発明の特徴とするところは、温水施設から排出される毛を含む温排水を温排水槽に貯留させて温排水から回収した熱により補給水を加温してさらにボイラで加熱して温水施設に給湯し、温排水槽に流入する温排水に含まれる毛を毛捕集装置で捕集して毛捕集装置に補給水を導水して逆洗を行うようにしたことにある。
本発明は温排水槽に流入する温排水に含まれる毛を捕集する毛捕集装置に補給水を導水して逆洗を行うようにしているので、熱回収システムの円滑な運転と省力化を図ることができる。
【０００５】
【発明の実施の形態】
図１に本発明の一実施例を示す。
図１において、シャワー１０や浴槽１１を備えた浴室１から排出される約３５℃の温排水は三方切替弁２１、ヘアーキャッチャー２０、弁２２を介して温排水槽２５に貯水される。三方切替弁２１は黒塗り方向が閉状態を示している。弁２２は開状態で、弁２３、２４は閉状態にある。
【０００６】
温排水槽２５に貯水された温排水は排水ポンプ２６により熱回収器２７に移送され、ここで熱交換された約２５℃の温排水は下水管に排水される。約１８℃の補給水は畜熱水槽３０を介してポンプ２９によって熱回収器２７に送られ熱交換され蓄熱水槽３０で約３０℃に昇温される。
【０００７】
蓄熱水槽３０で約３０℃に昇温された補給水は貯湯槽３２へ送られる。貯湯槽３２内の補給水は、ポンプ３３で温水ボイラ３１に導かれ所定の給湯温度（約４３℃）まで昇温され、ポンプ３４によって浴室１のシャワー１０及び浴槽１１へ給湯される。浴室１から排出される温排水は温排水槽２５に導水される。
【０００８】
温排水槽２５の流入側にヘアーキャッチャー（毛捕集装置）２０が設けられており、温排水に含まれるヘアー類異物を捕集し、これらへアー類異物が熱回収器２７へ送られるのを防止する。この場合、三方切替弁２１と二方弁２２を開状態にして、温排水はヘアーキャッチャー２０を経由して温排水槽２５に戻している。
【０００９】
ヘアーキャッチャー２０は図２〜図４に示すように、ケース胴体４０内に設置されたキャッチャー用クシ４１により長物ヘアー異物を捕集する。キャッチャー用クシ４１で捕集された長物ヘアー異物の量を差圧計３５によって検知する。長物ヘアー異物の量が所定量になると系統中の各種弁２１，２２，２３，２４を切替える。
【００１０】
三方切替弁２１は図示の黒塗り方向に開状態になり、浴室１からの温排水をヘアーキャッチャー２０を経由しないで直接に温排水槽２５に導水する。弁２２は閉状態にし、弁２３、２４を開状態にする。この状態にして補給水を除洗水として弁２４を介して除洗水入口座４７から除洗水排出座４８に通水させる。
【００１１】
ヘアーキャッチャー２０は除洗水によって逆洗され、キャッチャー用クシ４１に捕集されていた長物ヘアー異物は自動的に除去される。ヘアーキャッチャー２０を逆洗する除洗水（補給水）は、逆洗水水室４４からキャッチャー用クシ４１のベースプレート４９に設けられた逆洗水流通孔４２を通して、キャッチャー用クシ４１の長物ヘアー異物を抱き込む形で排水口へと流れる。
【００１２】
なお、熱回収器２７のチューブ洗浄については、１回／日特殊ボール洗浄装置２８を運転することによりチューブの清浄度が保持でき所定の熱交換効率を保持できる。
【００１３】
さて、ヘアーキャッチャー２０を示す図２〜図４において、通常の熱回収運転は、ヘアー類異物等を含んだ温排水が温排水入口座４５からケース胴体内４０を経由して温排水出口座４６へと通水する。キャッチャー用クシ４１は細長い角錐台の形状をしてベースプレート４９に多数取付けられており、除洗時にヘアーがキャッチャー用クシ４１から剥れ易い形状としている。
【００１４】
キャッチャー用クシ４１は、キャッチャー用クシ４１のストッパ４３を取外すことにより、ケース胴体４０から外へ取出し、除洗にて除去出来ないヘアー異物を手作業にて除去できる。
【００１５】
このようにして温水施設から排出される温排水の熱回収システムの運転を行うのであるが、温排水槽に流入する温排水に含まれる毛を捕集する毛捕集装置に補給水を導水して逆洗を行うようにしているので、熱回収システムの円滑な運転と省力化を図ることができる。
【００１６】
【発明の効果】
本発明は温排水槽に流入する温排水に含まれる毛を捕集する毛捕集装置に補給水を導水して逆洗を行うようにしているので、熱回収システムの円滑な運転と省力化を図ることができる。
【図面の簡単な説明】
【図１】本発明の一実施例を示す構成図である。
【図２】本発明のヘアーキャッチャーの一例を示す立体図である。
【図３】本発明のヘアーキャッチャーの一例を示す内部構成図である。
【図４】本発明のヘアーキャッチャーの一例を示す内部構成図である。
【符号の説明】
１…浴室、１０…シャワー、１１…浴槽、２０…ヘアーキャッチャー、２１…三方切替弁、２２，２３，２４…二方弁、２５…温排水槽、２６…排水ポンプ、２７…熱回収器、２８…特殊ボール洗浄装置、２９，３３…循環ポンプ、３０…蓄熱水槽、３１…温水ボイラ、３２…貯湯槽、３５…差圧計、４０…ケース胴体、４１…キャッチャー用クシ、４２…逆洗水流通孔、４３…ストッパ、４４…逆洗水水室、４５…温排水入口座、４６…温排水出口座、４７…除洗水入口座、４８…除洗水排出座、４９…ベースプレート。
【図１】
2004085067.tif 000003
【図２】
2004085067.tif 000004
【図３】
2004085067.tif 000005
【図４】
2004085067.tif 000006